(57)【特許請求の範囲】
【請求項１】
放電空間を有するシリカガラスよりなる放電容器を備え、当該放電容器を形成するシリカガラスが介在する状態で一対の電極が設けられ、前記放電空間内にキセノンガスが封入されてなり、放電容器の管壁負荷をｂ〔Ｗ／ｃｍ2 〕とするとき、管壁負荷ｂが０．５Ｗ／ｃｍ2 以上、１．４Ｗ／ｃｍ2 以下となる条件で点灯され、前記放電容器の放電空間内においてエキシマ放電を発生させるエキシマランプであって、
前記放電容器の、放電空間に曝される表面に、シリカ粒子とアルミナ粒子とよりなる紫外線反射膜が形成されており、当該紫外線反射膜は、放電空間に曝される表面層部分において、アルミナ粒子が（１０ｂ−４）ｗｔ％以上、７０ｗｔ％以下の割合で含有されてなるものであることを特徴とするエキシマランプ。
【発明の詳細な説明】
【技術分野】
【０００１】
本発明は、シリカガラスよりなる放電容器を備え、当該放電容器を形成するシリカガラスが介在する状態で一対の電極が設けられてなり、前記放電容器の内部にエキシマ放電を発生させるエキシマランプに関する。
【背景技術】
【０００２】
近年、例えば金属、ガラスおよびその他の材料よりなる被処理体に、波長２００ｎｍ以下の真空紫外光を照射することにより、当該真空紫外光およびこれにより生成されるオゾンの作用によって被処理体を処理する技術、例えば被処理体の表面に付着した有機汚染物質を除去する洗浄処理技術や、被処理体の表面に酸化膜を形成する酸化膜形成処理技術が開発され、実用化されている。
【０００３】
真空紫外光を照射する装置としては、例えば、エキシマ放電によってエキシマ分子を形成し、当該エキシマ分子から放射される光を利用するエキシマランプを光源として具えてなるものが用いられており、このようなエキシマランプにおいては、より高強度の紫外線を効率よく放射するために多くの試みがなされている。
具体的には、例えば、図６を参照して説明すると、紫外線を透過するシリカガラスよりなる放電容器（５１）を備え、この放電容器（５１）の内側と外側にそれぞれ電極（５５，５６）が設けられてなるエキシマランプ（５０）において、放電容器（５１）の放電空間（Ｓ）に曝される表面に、紫外線反射膜（２０）を形成することが記載されており、紫外線反射膜としては、シリカ粒子のみからなるもの、およびアルミナ粒子のみからなるものが実施例に例示されている（特許文献１参照）。
このエキシマランプ（５０）においては、放電容器（５１）の一部に、紫外線反射膜  （２０）が形成されていないことにより放電空間（Ｓ）内で発生した紫外線を出射する光出射部（５８）が形成されている。
【０００４】
このような構成のエキシマランプ（５０）によれば、放電容器（５１）の、放電空間  （Ｓ）に曝される表面に、紫外線反射膜が設けられていることにより、紫外線反射膜が設けられた領域においては、放電空間（Ｓ）内で発生した紫外線が紫外線反射膜によって反射されるので、シリカガラスに入射せずに、光出射部（５８）を構成する領域において紫外線がシリカガラスを透過して外部に放射されるので、基本的には、放電空間（Ｓ）内で発生した紫外線を有効的に利用することができ、しかも、光出射部（５８）の以外の領域を構成するシリカガラスの紫外線歪みによるダメージを小さく抑制することができ、クラックが発生することを防止することができる、とされている。
【０００５】
【特許文献１】特許第３５８０２３３号公報
【発明の開示】
【発明が解決しようとする課題】
【０００６】
しかしながら、上記構成のエキシマランプにおいては、長時間点灯されると、紫外線反射膜の反射率が低下するという問題や、紫外線反射膜の剥がれが生じるという問題が発生することが判明した。
【０００７】
本発明は、以上のような事情に基づいてなされたものであって、長時間点灯された場合であっても、紫外線反射膜の反射率の低下の程度が小さく抑制され、紫外線反射膜の剥がれを生じさせることがなく、従って、真空紫外光を効率よく出射することのできるエキシマランプを提供することを目的とする。
【課題を解決するための手段】
【０００８】
本発明のエキシマランプは、放電空間を有するシリカガラスよりなる放電容器を備え、当該放電容器を形成するシリカガラスが介在する状態で一対の電極が設けられ、前記放電空間内にキセノンガスが封入されてなり、放電容器の管壁負荷をｂ〔Ｗ／ｃｍ2 〕とするとき、管壁負荷ｂが０．５Ｗ／ｃｍ2 以上、１．４Ｗ／ｃｍ2 以下となる条件で点灯され、前記放電容器の放電空間内においてエキシマ放電を発生させるエキシマランプであって、
前記放電容器の、放電空間に曝される表面に、シリカ粒子とアルミナ粒子とよりなる紫外線反射膜が形成されており、当該紫外線反射膜は、放電空間に曝される表面層部分において、アルミナ粒子が（１０ｂ−４）ｗｔ％以上、７０ｗｔ％以下の割合で含有されてなるものであることを特徴とする。
【発明の効果】
【０００９】
本発明のエキシマランプによれば、紫外線反射膜がシリカ粒子とアルミナ粒子とからなり、アルミナ粒子が適正な割合で含有されてなるものであることにより、長時間点灯された場合であっても、粒界が消失されることなく維持されるので、真空紫外光を効率よく拡散反射させることができて反射率の程度を小さく抑制することができ、しかも、アルミナ粒子が混入されることによる紫外線反射膜の放電容器に対する結着性が大幅に低下することがなく、紫外線反射膜が放電容器から剥がれることを確実に抑制することができ、従って、真空紫外光を効率よく出射することができる。
【発明を実施するための最良の形態】
【００１０】
図１は、本発明のエキシマランプの一例における構成の概略を示す説明用断面図であって、（ａ）放電容器の長手方向に沿った断面を示す横断面図、（ｂ）（ａ）におけるＡ−Ａ線断面図である。
このエキシマランプ１０は、両端が気密に封止されて内部に放電空間Ｓが形成された、断面矩形状の中空長尺状の放電容器１１を備えており、この放電容器１１の内部には、放電用ガスとして、例えばキセノンガスや、アルゴンと塩素とを混合したガスが封入されている。
放電容器１１は、真空紫外光を良好に透過するシリカガラス、例えば合成石英ガラスよりなり、誘電体としての機能を有する。
【００１１】
放電容器１１における長辺面の外表面には、一対の格子状の電極、すなわち、高電圧給電電極として機能する一方の電極１５および接地電極として機能する他方の電極１６が長尺な方向に伸びるよう対向して配置されており、これにより、一対の電極１５，１６間に誘電体として機能する放電容器１１が介在された状態とされている。
このような電極は、例えば、金属よりなる電極材料を放電容器１１にペースト塗布することにより、あるいは、プリント印刷することによって形成することができる。
【００１２】
このエキシマランプ１０においては、一方の電極１５に点灯電力が供給されると、誘電体として機能する放電容器１１の壁を介して両電極１５，１６間に放電が生成され、これにより、エキシマ分子が形成されると共にこのエキシマ分子から真空紫外光が放射されるエキシマ放電が生ずるが、このエキシマ放電によって発生する真空紫外光を効率良く利用するために、放電容器１１の内表面に、シリカ粒子とアルミナ粒子とからなる紫外線反射膜２０が設けられている。ここに、放電用ガスとしてキセノンガスを用いた場合は、波長１７２ｎｍにピークを有する真空紫外線が放出され、放電用ガスとしてアルゴンと塩素とを混合したガスを用いた場合には、波長１７５ｎｍにピークを有する真空紫外線が放出される。
【００１３】
紫外線反射膜２０は、例えば、放電容器１１における長辺面の、高電圧給電電極として機能する一方の電極１５に対応する内表面領域とこの領域に連続する短辺面の内表面領域の一部にわたって形成されており、放電容器１１における長辺面の、接地電極として機能する他方の電極１６に対応する内表面領域において紫外線反射膜２０が形成されていないことによって光出射部（アパーチャ部）１８が構成されている。
紫外線反射膜２０の膜厚は、例えば１０〜１００μｍであることが好ましい。
【００１４】
紫外線反射膜２０は、少なくとも放電空間Ｓに曝される表面層部分、すなわち、エキシマ放電に伴って生ずるプラズマの影響を受けてシリカ粒子が溶融して粒界の消失が発生しうる部分、例えば深さ２μｍ程度の範囲内において、アルミナ粒子がシリカ粒子と混在されてなるものであり、例えばシリカ粒子とアルミナ粒子との堆積体により構成することができる。
紫外線反射膜２０は、シリカ粒子およびアルミナ粒子それ自体が高い屈折率を有する真空紫外光透過性を有するものであることから、シリカ粒子またはアルミナ粒子に到達した真空紫外光の一部が粒子の表面で反射されると共に他の一部が屈折して粒子の内部に入射され、さらに、粒子の内部に入射される光の多くが透過され（一部が吸収）、再び、出射される際に屈折される、このような反射、屈折が繰り返し起こる「拡散反射」させる機能を有する。
また、紫外線反射膜２０は、シリカ粒子およびアルミナ粒子、すなわちセラミックスにより構成されていることにより、不純ガスを発生させず、また、放電に耐えられる特性を有する。
【００１５】
紫外線反射膜２０を構成するシリカ粒子は、例えばシリカガラスを粉末状に細かい粒子としたものなどを用いることができる。
シリカ粒子は、以下のように定義される粒子径が例えば０．０１〜２０μｍの範囲内にあるものであって、中心粒径（数平均粒子径のピーク値）が、例えば０．１〜１０μｍであるものが好ましく、より好ましくは０．３〜３μｍであるものである。
また、中心粒径を有するシリカ粒子の割合が５０％以上であることが好ましい。
【００１６】
紫外線反射膜２０を構成するアルミナ粒子は、以下のように定義される粒子径が例えば０．１〜１０μｍの範囲内にあるものであって、中心粒径（数平均粒子径のピーク値）が、例えば０．１〜３μｍであるものが好ましく、より好ましくは０．３〜１μｍであるものである。
また、中心粒径を有するアルミナ粒子の割合が５０％以上であることが好ましい。
【００１７】
紫外線反射膜２０を構成するシリカ粒子およびアルミナ粒子の「粒子径」とは、紫外線反射膜２０をその表面に対して垂直方向に破断したときの破断面における、厚み方向におけるおよそ中間の位置を観察範囲として、走査型電子顕微鏡（ＳＥＭ）によって拡大投影像を取得し、この拡大投影像における任意の粒子を一定方向の２本の平行線で挟んだときの当該平行線の間隔であるフェレー（Ｆｅｒｅｔ）径をいう。
具体的には、図２（ａ）に示すように、略球状の粒子Ａおよび粉砕粒子形状を有する粒子Ｂなどの粒子が単独で存在している場合には、当該粒子を一定方向（例えば紫外線反射膜２０の厚み方向（Ｙ軸方向））に伸びる２本の平行線で挟んだときの当該平行線の間隔を粒径ＤＡ，ＤＢとする。
また、出発材料の粒子が溶融して接合した形状を有する粒子Ｃについては、図２（ｂ）に示すように、出発材料である粒子Ｃ１，Ｃ２と判別される部分における球状部分のそれぞれについて、一定方向（例えば紫外線反射膜２０の厚み方向（Ｙ軸方向））に伸びる２本の平行線で挟んだときの当該平行線の間隔を測定し、これを当該粒子の粒径ＤＣ１，ＤＣ２とする。
【００１８】
紫外線反射膜２０を構成するシリカ粒子およびアルミナ粒子の「中心粒径」とは、上記のようして得られる各粒子の粒子径についての最大値と最小値との粒子径の範囲を、例えば０．１μｍの範囲で複数の区分、例えば１５区分程度に分け、それぞれの区分に属する粒子の個数（度数）が最大となる区分の中心値をいう。
【００１９】
シリカ粒子およびアルミナ粒子が、真空紫外光の波長と同程度である上記範囲の粒子径を有するものであることにより、真空紫外光を効率よく拡散反射させることができる。
【００２０】
以上において、上記エキシマランプ１０における紫外線反射膜２０に含有されるアルミナ粒子の割合は、放電容器１１の管壁負荷をｂ〔Ｗ／ｃｍ2 〕とするとき、（１０ｂ−４）ｗｔ％以上、７０ｗｔ％以下とされる。
エキシマランプにおいては、電極間の電位差が大きくなるに従ってプラズマの発生頻度が高くなるので、入力電力が大きい、すなわち、管壁負荷が大きいほど、紫外線反射膜がプラズマにさらされる頻度が高くなり、より厳しい条件で使用されることになる。然るに、後述する実験例の結果にも示すように、アルミナ粒子の含有割合の下限値が、放電容器１１の管壁負荷との関係において、設定されることにより、紫外線反射膜２０の反射率の低下の程度を小さく抑制することができる。
【００２１】
このような紫外線反射膜２０は、例えば「流下法」と呼ばれる方法により、形成することができる。すなわち、水とＰＥＯ樹脂（ポリエチレンオキサイド）を組み合わせた粘性を有する溶剤に、シリカ粒子およびアルミナ粒子を混ぜて分散液を調製し、この分散液を放電容器形成材料内に流し込むことにより、放電容器形成材料の内表面における所定の領域に付着させた後、乾燥、焼成することにより水とＰＥＯ樹脂を蒸発させることにより、紫外線反射膜２０を形成することができる。
紫外線反射膜２０を形成するに際して用いられるシリカ粒子およびアルミナ粒子の製造は、固相法、液相法、気相法のいずれの方法も利用することができるが、これらのうちでも、サブミクロン、ミクロンサイズの粒子を確実に得ることができることから、気相法、特に化学蒸着法（ＣＶＤ）が好ましい。
具体的には、例えば、シリカ粒子は、塩化ケイ素と酸素を９００〜１０００℃で反応させることにより、アルミナ粒子は、原料の塩化アルミニウムと酸素を１０００〜１２００℃で加熱反応させることにより、合成することができ、粒子径は、原料濃度、反応場での圧力、反応温度を制御することにより調整することができる。
【００２２】
一般に、エキシマランプにおいては、エキシマ放電に伴って、プラズマが発生することが知られているが、上記のような構成のエキシマランプにおいては、プラズマが紫外線反射膜に対して略直角に入射して作用することになるため、紫外線反射膜の温度が局所的に急激に上昇され、紫外線反射膜が例えばシリカ粒子のみからなるものであれば、プラズマの熱によって、シリカ粒子が溶融されて粒界が消失されてしまうため、真空紫外光を拡散反射させることができなくなって反射率が低下する。
然るに、紫外線反射膜２０が、シリカ粒子とアルミナ粒子とからなり、アルミナ粒子が適正な割合で含有されてなるものであることにより、上記構成のエキシマランプ１０によれば、プラズマによる熱にさらされた場合であっても、シリカ粒子より高い融点を有するアルミナ粒子は溶融しないため、互いに隣接するシリカ粒子とアルミナ粒子とが粒子同士で結合されることが防止されて粒界が維持されるので、長時間点灯された場合であっても、真空紫外光を効率よく拡散反射させることができて初期の反射率を維持することができ、しかも、アルミナ粒子が混入されることによる紫外線反射膜２０の放電容器１１に対する結着性が大幅に低下することがないため、紫外線反射膜２０が放電容器１１から剥がれることを確実に抑制することができ、従って、真空紫外光を効率よく出射することができる。
また、アルミナ粒子はシリカ粒子よりも高い屈折率を有するため、シリカ粒子のみからなる紫外線反射膜に比して、高い反射率を得ることができる。
【００２３】
また、エキシマ発光が生じる放電空間Ｓに曝される放電容器１１の内表面に紫外線反射膜２０が形成されていることにより、放電空間Ｓ内の真空紫外線が光出射部１８以外の領域におけるシリカガラスに入射されることに伴う紫外線歪みによるダメージを小さくすることができ、クラックが発生することを防止することができる。
【００２４】
以下、本発明の効果を確認するために行った実験例を説明する。
＜実験例１＞
図１に示す構成に従って、紫外線反射膜の表面より２μｍの膜厚中に含まれるアルミナ粒子の含有量が０〜５０ｗｔ％の範囲で変更されたことの他は同一の構成を有する７種類のエキシマランプを作製すると共に、紫外線反射膜を有さないことの他は同一の構成を有するエキシマランプを作製した。ここに、紫外線反射膜の表面より２μｍの膜厚中に含まれるアルミナ粒子の含有量およびシリカ粒子の含有割合は、紫外線反射膜を放電空間側から、電子顕微鏡により数１００〜１０００倍の倍率で観測しながら、エネルギー分散型Ｘ線分析装置を用いた定量分析を行うことにより得られたものであり、アルミナ粒子の含有量を、アルミナ粒子質量／（シリカ粒子質量＋アルミナ粒子質量）×１００「ｗｔ％」と表し、シリカ粒子の含有量を、シリカ粒子質量／（シリカ粒子質量＋アルミナ粒子質量）×１００「ｗｔ％」と表す。
【００２５】
〔エキシマランプの構成〕
放電容器の寸法は、１０×４２×１５０ｍｍ、肉厚が２．５ｍｍであり、放電用ガスとして、キセノンガスを４０ｋＰａの封入量で放電容器内に封入した。
高電圧供給電極および接地電極の寸法は、３０×１００ｍｍである。
紫外線反射膜を構成するシリカ粒子は、粒子径が０．３〜１．０μｍの範囲内にあり、中心粒径が０．５μｍ、中心粒径を有する粒子の割合が５０％であるものである。
紫外線反射膜を構成するアルミナ粒子は、粒子径が０．２〜０．７μｍの範囲内にあり、中心粒径が０．４μｍ、中心粒径を有する粒子の割合が５０％であるものである。
シリカ粒子およびアルミナ粒子の粒子径の測定は、日立製電界放射型走査電子顕微鏡「Ｓ４１００」を用い、加速電圧を２０ｋＶとし、拡大投影像における観察倍率を、粒子径が０．１〜１μｍである粒子については２００００倍、粒子径が１〜１０μｍである粒子については２０００倍とした。
紫外線反射膜は、流下法によって、焼成温度を１１００℃として得られたものであり、その膜厚は３０μｍである。
【００２６】
各エキシマランプについて、放電容器の管壁負荷ｂが０．５Ｗ／ｃｍ2 、０．７Ｗ／ｃｍ2 、１．０Ｗ／ｃｍ2 、１．４Ｗ／ｃｍ2 となる条件で点灯させ、点灯直後と、一定の管壁負荷で５００時間連続点灯させた後における、波長１７２ｎｍのキセノンエキシマ光の照度を測定し、反射率減少による照度変化（初期照度との相対値）、すなわち、〔（５００時間点灯後の発光強度）／（点灯直後の発光強度）〕を算出した。結果を下記表１に示す。
照度測定は、図３に示すように、アルミニウム製容器３０の内部に配置されたセラミックス製の支持台３１上に、エキシマランプ１０を固定すると共に、エキシマランプ１０の表面から１ｍｍ離れた位置において、エキシマランプ１０に対向するよう紫外線照度計３５を固定し、アルミニウム製容器３０の内部雰囲気を窒素で置換した状態において、エキシマランプ１０の電極１５，１６間に交流高電圧を印加することにより、放電容器１１の内部に放電を発生させ、他方の電極（接地電極）１６の網目を介して放射されるキセノンエキシマ光の照度を測定した。
【００２７】
【表１】
0005303890.tif 000002
【００２８】
以上の結果より、紫外線反射膜を有さないエキシマランプにおいては、経時的な照度変化が実質的に生じていないことから、照度の低下は紫外線反射膜の反射率が低下することが原因で生じていることがわかる。
そして、製品の規格として例えば８０％以上の維持率を要求されることがあるため、照度変化が０．８以上となることを判定基準とすると、照度変化が０．８以上に保たれるアルミナ粒子の含有割合は、管壁負荷が０．５Ｗ／ｃｍ2 のときには、１ｗｔ％以上、管壁負荷が０．７Ｗ／ｃｍ2 のときには、３ｗｔ％以上、管壁負荷が１．０Ｗ／ｃｍ2 のときには、６ｗｔ％以上、管壁負荷が１．４Ｗ／ｃｍ2 のときには、１０ｗｔ％以上であることが必要であることが確認され、図４に示すように、照度変化が０．８以上に保たれるときのアルミナ含有量ｙは、管壁負荷ｂとの関係において、ｙ＝１０ｂ−４で示される近似直線Ｌより上の領域における量であれば、紫外線反射膜を所期の反射特性を有するものとして構成することができて照度の低下の程度を小さく抑制することができることが確認された。
【００２９】
＜実験例２＞
紫外線反射膜を構成するシリカ粒子とアルミナ粒子の含有割合を下記表２に従って変更されたことの他は、実験例１で用いたものと同一の基本構成を有する６種類のエキシマランプを各々１０本ずつ作製し、各エキシマランプについて、紫外線反射膜の剥がれの有無を目視にて観察した。結果を下記表２に示す。
【００３０】
【表２】
0005303890.tif 000003
【００３１】
以上の結果より、紫外線反射膜におけるアルミナ粒子の含有割合が７０ｗｔ％以下であることにより、紫外線反射膜の剥がれが生じないことが確認された。
【００３２】
従って、上記実験例１および実験例２に示す結果より、紫外線反射膜におけるアルミナ粒子の含有割合が、（１０ｂ−４）ｗｔ％以上（ｂ：放電容器の管壁負荷〔Ｗ／ｃｍ2 〕）、７０ｗｔ％以下であることにより、長時間点灯された場合であっても、紫外線反射膜の初期の反射率が維持され、紫外線反射膜の剥がれを生じさせることのないエキシマランプが得られることが確認された。
【００３３】
以上、本発明の実施形態について説明したが、本発明は上記の実施形態に限定されるものではなく、種々の変更を加えることができる。
本発明は、上記構成のエキシマランプに限定されるものではなく、図５に示すような、いわゆる「角型」のエキシマランプや、図６に示すような、二重管構造のエキシマランプにも適用することができる。
図５に示すエキシマランプ４０は、例えば合成シリカガラスよりなる断面長方形の放電容器４１を備えてなり、放電容器４１の互いに対向する外表面に金属よりなる一対の外側電極４５，４５が放電容器４１の管軸方向に延びるように配設されると共に、放電用ガスである例えばキセノンガスが放電容器４１内に充填されている。図５において、符号４２は排気管であり、符号４３は例えばバリウムよりなるゲッターである。
このような構成のエキシマランプ４０においては、放電容器４１の内表面における、各々の外側電極４５，４５に対応する領域およびこれらの領域に連続する一方の内面領域にわたって、上記紫外線反射膜２０が設けられ、紫外線反射膜２０が設けられていないことにより光出射部４４が形成されている。
【００３４】
また、図６に示すエキシマランプ５０は、シリカガラスよりなる円筒状の外側管５２と、この外側管５２内においてその管軸に沿って配置された、当該外側管５２の内径より小さい外径を有する例えばシリカガラスよりなる円筒状の内側管５３とを有し、外側管５２と内側管５３とが両端部において溶融接合されて外側管５２と内側管５３との間に環状の放電空間Ｓが形成されてなる二重管構造の放電容器５１を備えており、例えば金属よりなる一方の電極（高電圧供給電極）５５が内側管５３の内周面に密接して設けられていると共に、例えば金網などの導電性材料よりなる他方の電極５６が外側管５２の外周面に密接して設けられており、放電空間Ｓ内に、例えばキセノンガスなどのエキシマ放電によってエキシマ分子を形成する放電用ガスが充填されて、構成されている。
このような構成のエキシマランプ５０においては、例えば放電容器５１の内側管５３の内表面における全周にわたって上記紫外線反射膜２０が設けられると共に、外側管５２の内表面に、光出射部５８を形成する一部分の領域を除いてシリカ粒子とアルミナ粒子とからなる紫外線反射膜２０が設けられる。
【図面の簡単な説明】
【００３５】
【図１】本発明のエキシマランプの一例における構成の概略を示す説明用断面図であって、（ａ）放電容器の長手方向に沿った断面を示す断面図、（ｂ）（ａ）におけるＡ−Ａ線断面図である。
【図２】シリカ粒子およびアルミナ粒子の粒子径の定義を説明するための説明図である。
【図３】実験例におけるエキシマランプの照度の測定方法を説明するための断面図である。
【図４】エキシマランプの照度変化が０．８以上に保たれるときの、放電容器の管壁負荷と、紫外線反射膜におけるアルミナ含有量の関係を示すグラフである。
【図５】本発明のエキシマランプの他の例における構成の概略を示す説明用断面図であって、（ａ）放電容器の長手方向に沿った断面を示す断面図、（ｂ）（ａ）の紙面に垂直な平面による断面を示す断面図である。
【図６】本発明のエキシマランプの更に他の例における構成の概略を示す説明用断面図であって、（ａ）放電容器の長手方向に沿った断面を示す横断面図、（ｂ）（ａ）におけるＡ−Ａ線断面図である。
【符号の説明】
【００３６】
１０  エキシマランプ
１１  放電容器
１５  一方の電極（高電圧供給電極）
１６  他方の電極（接地電極）
１８  光出射部（アパーチャ部）
２０  紫外線反射膜
３０  アルミニウム製容器
３１  支持台
３５  紫外線照度計
４０  エキシマランプ
４１  放電容器
４２  排気管
４３  ゲッター
４４  光出射部
４５  外側電極
５０  エキシマランプ
５１  放電容器
５２  外側管
５３  内側管
５５  一方の電極（高電圧供給電極）
５６  他方の電極
５８  光出射部
Ｓ  放電空間
【図１】
0005303890.tif 000004
【図２】
0005303890.tif 000005
【図３】
0005303890.tif 000006
【図４】
0005303890.tif 000007
【図５】
0005303890.tif 000008
【図６】
0005303890.tif 000009